(57)【特許請求の範囲】
【請求項１】
混合攪拌された、土と、植物の破砕片と、水と、粘土鉱物とを有する流動体と、団粒剤とを含む、法面への植物生育基盤の形成に用いる材料であって、
前記材料は、該材料を前記法面に搬送するために用いられる一端部、他端部及び中間部を有する管の前記中間部において、前記管の一端部から中間部へ搬送される前記流動体に前記団粒剤と圧縮空気とを加えることにより生成され、
前記流動体中の粘土鉱物は微細なアルミナ珪酸塩を主成分とし、また、
前記流動体中の土と植物の破砕片との合計約１．０ｍ３につき、前記土は約０．３ｍ３ないし約０．７ｍ３であり、前記水は約０．１ｍ３ないし約０．６ｍ３であり、前記粘土鉱物は約２０ｋｇないし約１００ｋｇであり、また前記団粒剤は約１ｋｇないし約６ｋｇである、植物生育基盤の形成に用いる材料。
【発明の詳細な説明】
【技術分野】
【０００１】
本発明は、植物生育基盤の形成に用いる材料に関する。
【背景技術】
【０００２】
法面を緑化しまた保護するため、該法面に植物生育基盤を形成し、該植物生育基盤で植物を生育させる。前記法面に前記植物生育基盤を形成する従来の方法では、まず、管の一端部を前記法面の下方に位置する地盤の上に配置し、前記管の他端部を前記法面の上に配置する。次に、土と、植物の破砕片と、団粒剤とを混合して植物生育基盤材料を生成し、その後、該植物生育基盤材料を前記管に前記一端部から供給しつつ、該一端部において前記植物生育基盤材料に圧縮空気を加えて該植物生育基盤材料を前記管の前記他端部から前記法面へ放出する（特許文献１参照）。
【特許文献１】特開２００４−１００３１８号公報
【０００３】
前記土と前記団粒剤とを混合することにより、前記土に含まれている粘土粒子が凝集して複数の団粒からなる団粒構造が形成される。前記植物生育基盤材料は、前記団粒の間に、空気や水が通る大きな空隙を有し、通気性及び排水性に優れる。また、前記植物生育基盤材料は、前記団粒を構成する前記粘土粒子の間に、水を貯える小さな空隙を有し、保水性に優れる。このため、前記植物生育基盤材料は前記植物の生育に適している。
【０００４】
前記植物の破砕片は前記団粒と絡み合って前記植物生育基盤を補強する。このため、前記植物生育基盤は耐侵食性及び安定性に優れ、前記植物生育基盤が崩れたり、雨により流されたりすることがない。
【０００５】
ところで、前記法面の高さがより高い場合、前記管の前記他端部が前記法面の上におけるより高い位置に届くようにするため、前記管を長くしなければならない。しかし、前記管が長い場合、前記植物生育基盤材料を前記管から放出するときに該植物生育基盤材料が前記管から受ける摩擦力が大きく、前記植物生育基盤材料を前記管から放出することが困難である。このため、前記法面に前記植物生育基盤を形成することができない。
【０００６】
法面に植物生育基盤を形成する他の方法として、土と、水と、植物の破砕片とを含む流動体にポンプにより圧力を加えて該流動体を管を経て搬送する間に、該管の中間部において前記流動体に団粒剤と圧縮空気とを加えて植物生育基盤材料を生成し、該植物生育基盤材料を前記圧縮空気により前記管から前記法面へ放出することが考えられる。この場合、管の一端部において植物生育基盤材料に圧縮空気を加えて該植物生育基盤材料を前記管から放出する場合と比べて、前記植物生育基盤材料を前記管から放出するときに該植物生育基盤材料が前記管から受ける摩擦力が小さく、前記管が長い場合においても前記植物生育基盤材料を前記管から放出することが困難ではない。このため、前記法面の高さがより高い場合においても該法面に植物生育基盤を形成することができる。
【発明の開示】
【発明が解決しようとする課題】
【０００７】
しかし、前記流動体を搬送する間に、比重が比較的大きい前記植物の破砕片が沈み、該植物の破砕片が前記流動体から分離し、前記植物の破砕片を確実に搬送できないという問題が生じる。このため、前記植物生育基盤に前記植物の破砕片が十分に含まれず、前記植物生育基盤の耐侵食性及び安定性を低下させる恐れがある。
【０００８】
本発明の目的は、植物の破砕片を含む流動体を、該流動体から前記植物の破砕片を分離させることなく搬送できるようにし、植物生育基盤の耐侵食性及び安定性を低下させることがないようにすることである。
【課題を解決するための手段】
【０００９】
本発明は、流動体が、植物の破砕片と、粘土鉱物とを含み、前記流動体の粘性抵抗により前記植物の破砕片が沈むのを防ぐ。これにより、前記流動体を、該流動体から前記植物の破砕片を分離させることなく搬送できるようにする。
【００１０】
本発明に係る、植物生育基盤の形成に用いる材料は、混合攪拌された、土と、植物の破砕片と、水と、粘土鉱物とを有する流動体を含む。前記流動体が前記粘土鉱物を含むため、前記流動体が粘性を有し、該流動体の粘性抵抗により前記植物の破砕片が沈むのを防ぐことができる。これにより、前記流動体を、該流動体から前記植物の破砕片を分離させることなく搬送することができ、前記植物生育基盤に前記植物の破砕片が十分に含まれるようにすることができる。このため、前記植物生育基盤の耐侵食性及び安定性を低下させることはない。
【００１１】
前記粘土鉱物は、水を加えても膨張しない粘土鉱物からなる。仮に、前記粘土鉱物が、モンモリロナイトを主成分とするベントナイトのような、水を加えて膨張する粘土鉱物からなる場合、前記流動体を管を経て搬送する間に前記粘土鉱物が膨張して前記管が詰まり、前記流動体を搬送できない恐れがある。前記粘土鉱物が、水を加えても膨張しない粘土鉱物からなることにより、前記粘土鉱物が膨張して前記管が詰まることはなく、前記流動体を確実に搬送することができる。
【００１２】
本発明に係る植物生育基盤の形成に用いる材料は、さらに団粒剤を含む。前記材料は、該材料を前記法面に搬送するために用いられる一端部、他端部及び中間部を有する管の前記中間部において、前記管の一端部から中間部へ搬送される前記流動体に前記団粒剤と圧縮空気とを加えることにより生成される。ここにおいて、前記流動体中の粘土鉱物は微細なアルミナ珪酸塩を主成分とする。また、前記流動体中の土と植物の破砕片との合計約１．０ｍ３につき、前記土は約０．３ｍ３ないし約０．７ｍ３であり、前記水は約０．１ｍ３ないし約０．６ｍ３であり、前記粘土鉱物は約２０ｋｇないし約１００ｋｇであり、また前記団粒剤は約１ｋｇないし約６ｋｇである。
【発明の効果】
【００１３】
本発明によれば、流動体が、植物の破砕片に加えて、粘土鉱物を含むため、前記流動体が粘性を有し、該流動体の粘性抵抗により前記植物の破砕片が沈むのを防ぐことができる。これにより、前記流動体を、該流動体から前記植物の破砕片を分離させることなく搬送することができ、前記植物生育基盤に前記植物の破砕片が十分に含まれるようにすることができる。このため、前記植物生育基盤の耐侵食性及び安定性を低下させることはない。
【発明を実施するための最良の形態】
【００１４】
図１に示すように、法面１０を緑化しまた保護するため、該法面に植物生育基盤１２を形成し、該植物生育基盤で植物を生育させる。
【００１５】
法面１０に植物生育基盤１２を形成するとき、まず、法面１０の下方に位置する地盤１３の上にホッパーのような容器１４を配置する。次に、容器１４から間隔を置いてポンプ１６を地盤１３の上に配置し、管１８の一端部２０をポンプ１６に接続する。ポンプ１６はピストンポンプである。
【００１６】
管１８は、その中間部２２に設けられた、管１８に圧縮空気を供給する第１供給管２４が接続される少なくとも１つの第１接続口２６と、該第１接続口から間隔を置いて中間部２２に設けられた、管１８に団粒剤を供給する第２供給管２８が接続される第２接続口３０とを有する。第１接続口２６は第２接続口３０から管１８の一端部２０側に間隔を置かれている。前記間隔は、例えば、約２０ｃｍないし約１ｍであるが、約２０ｃｍより短くてもよいし、約１ｍより長くてもよい。
【００１７】
次に、管１８から間隔を置いてコンプレッサー３４と団粒剤供給装置３６とを地盤１３の上に配置する。その後、第１供給管２４の一端部をコンプレッサー３４に接続し、第１供給管２４の他端部を管１８の第１接続口２６に接続し、第２供給管２８の一端部を団粒剤供給装置３６に接続し、第２供給管２８の他端部を管１８の第２接続口３０に接続し、第２供給管２８に圧縮空気を供給する第３供給管３８の一端部をコンプレッサー３４に接続し、第３供給管３８の他端部を第２供給管２８に接続する。その後、管１８の他端部３２を法面１０の上に配置する。コンプレッサー３４は圧縮空気を生成し、団粒剤供給装置３６は団粒剤を収容する。
【００１８】
図１に示した例では、管１８の中間部２２に２つの第１接続口２６が設けられており、各第１接続口２６に第１供給管２４が接続されている。第１供給管２４から管１８に供給された圧縮空気が管１８の中間部２２から他端部３２に向けての気流を生じさせるようにするため、第１供給管２４の前記他端部と管１８の中間部２２とがなす角度は鋭角である。第１接続口２６は、２つである図１に示した例に代え、１つでもよい。
【００１９】
法面１０の高さは比較的高く、管１８は比較的長い。管１８の一端部２０から中間部２２までの長さは約１０ｍないし約２５０ｍであり、管１８の中間部２２から他端部３２までの長さは約１０ｍないし約５０ｍである。管１８の一端部２０から中間部２２までの長さ及び管１８の中間部２２から他端部３２までの長さは、容器１４から法面１０までの距離、法面１０の高さ、法面１０の傾斜角度等に応じて任意に変更することができる。なお、管１８の中間部２２は、一端部２０と他端部３２との間にあればよく、管１８の中央にあってもよいし、管１８の中央以外の位置、すなわち管１８の中央から一端部２０側又は他端部３２側に隔てられた位置にあってもよい。
【００２０】
管１８の他端部３２を法面１０の上に配置した後、土と、植物の破砕片と、水と、水を加えても膨張しない粘土鉱物と、接合剤とを容器１４内で混合し、撹拌する。これにより、流動体４０を生成する。次に、流動体４０をダンプ、ベルトコンベヤー等（図示せず）により搬送し、該流動体をポンプ１６に供給する。
【００２１】
前記土は、法面１０を形成するために掘削された地盤から得た現地発生土からなる。一般に、前記現地発生土には粘土粒子が含まれており、前記現地発生土に対する前記粘土粒子の質量比は約２０％ないし約３０％である。前記植物の破砕片は、樹木の幹、枝葉若しくは根の破砕片、草の破砕片又はこれらの混合物からなり、未腐熟である。前記粘土鉱物は、木節粘土のような、微細なアルミナ珪酸塩を主成分とする粘土鉱物からなる。図２に示す例では、前記土と前記植物の破砕片との合計約１．０ｍ３につき、前記土は約０．５ｍ３であり、前記植物の破砕片は約０．５ｍ３であり、前記粘土鉱物は約３０ｋｇであり、前記接合剤は約４ｋｇであり、前記水は約０．２ｍ３である。
【００２２】
流動体４０をポンプ１６に供給した後、該ポンプにより流動体４０に圧力を加えて該流動体を管１８を経てその一端部２０から中間部２２へ搬送する間に、該中間部において流動体４０に前記団粒剤と前記圧縮空気とを加えて植物生育基盤材料４２を生成する。このとき、前記圧縮空気を第１供給管２４を経て管１８に供給しかつ第３供給管３８を経て第２供給管２８に供給すると同時に、第２供給管２８に供給された圧縮空気とともに前記団粒剤を第２供給管２８を経て管１８に供給する。
【００２３】
流動体４０に前記団粒剤と前記圧縮空気とを加えることにより、流動体４０及び前記団粒剤が撹拌され、該団粒剤の凝集作用により、前記土及び前記粘土鉱物に含まれている粘土粒子が凝集して団粒が形成される。このため、植物生育基盤材料４２は団粒構造を有する。図２に示した例では、前記土と前記植物の破砕片との合計約１．０ｍ３につき、前記団粒剤は約３ｋｇである。
【００２４】
前記植物の破砕片は前記団粒と絡み合って植物生育基盤１２を補強する。このため、植物生育基盤１２は耐侵食性及び安定性に優れ、植物生育基盤１２が崩れたり、雨により流されたりすることがない。
【００２５】
植物生育基盤材料４２を生成した後、該植物生育基盤材料を前記圧縮空気により管１８の他端部３２から法面１０へ放出する。これにより、法面１０に植物生育基盤１２が形成される。
【００２６】
ところで、仮に、流動体４０が前記粘土鉱物を含まない場合、流動体４０をポンプ１６により管１８を経て搬送する間に、比重が比較的大きい前記植物の破砕片が沈み、該植物の破砕片が流動体４０から分離することがある。このため、前記植物の破砕片を搬送できない恐れがある。これに対して、流動体４０が前記粘土鉱物を含む場合、流動体４０が粘性を有し、該流動体の粘性抵抗により、前記植物の破砕片が沈むのを防ぐことができ、該植物の破砕片が流動体４０から分離するのを防止することができる。このため、流動体４０を、該流動体から前記植物の破砕片を分離させることなく搬送することができる。これにより、前記植物生育基盤に前記植物の破砕片が十分に含まれるようにすることができ、前記植物生育基盤の耐侵食性及び安定性が低下するのを防止することができる。
【００２７】
仮に、前記粘土鉱物が、モンモリロナイトを主成分とするベントナイトのような、水を加えて膨張する粘土鉱物からなる場合、流動体４０をポンプ１６により管１８を経て搬送する間に前記粘土鉱物が膨張して管１８が詰まり、流動体４０を搬送できない恐れがある。これに対して、前記粘土鉱物が、水を加えても膨張しない粘土鉱物からなる場合、前記粘土鉱物が膨張して管１８が詰まることはなく、流動体４０を確実に搬送することができる。
【００２８】
前記現地発生土には、法面１０が形成される場所に生育していた植物の種子が含まれている。このため、前記土が前記現地発生土からなることにより、植物生育基盤１２に前記植物を生育させることができ、法面１０の形成により破壊された生態系を復元することができる。
【００２９】
前記現地発生土は、表土からなるものでもよいし、該表土の下に存在する風化土からなるものでもよい。前記表土及び前記風化土は、いずれも、粘土粒子を含み、植物生育基盤材料４２の団粒構造の形成に寄与する。前記土は、前記現地発生土からなる上記の例に代え、法面１０が形成された場所へ搬入された土でもよい。
【００３０】
前記植物の破砕片は、法面１０を形成するために伐採された樹木の破砕片であることが好ましい。これにより、伐採された樹木を廃棄することなく有効に利用することができる。
【００３１】
管１８の中間部２２は鋼管からなる。管１８の一端部２０と中間部２２との間の部分は、鋼管からなるものでもよいし、ホースのような柔軟な管部材からなるものでもよいし、鋼管とこれに接続された柔軟な管部材とからなるものでもよい。管１８の中間部２２と他端部３２との間の部分は柔軟な管部材からなる。ポンプ１６は、ピストンポンプである上記の例に代え、スクイーズポンプのような、粘性を有する流動体を搬送可能な他のポンプでもよい。
【００３２】
図２に示した例では、前記土と前記植物の破砕片との合計約１．０ｍ３につき、前記土が約０．５ｍ３であるが、これに代え、前記土の量は約０．３ｍ３ないし約０．７ｍ３の範囲において任意の量とすることができる。この場合、前記植物の破砕片の量は、約１．０ｍ３から前記土の量を差し引いた量、すなわち約０．７ｍ３ないし約０．３ｍ３であり、前記粘土鉱物は約２０ｋｇないし約１００ｋｇであり、前記団粒剤は約１ｋｇないし約６ｋｇであり、前記水は約０．１ｍ３ないし約０．６ｍ３である。
【００３３】
植物生育基盤材料４２は、前記土と、前記植物の破砕片と、前記粘土鉱物と、前記団粒剤と、前記接合剤と、前記水とを含む図２に示した例に代え、図３に示すように、前記植物の破砕片と、前記粘土鉱物と、前記団粒剤と、前記接合剤と、前記水とを含み、前記土を含まないものとすることができる。図３に示した例では、前記植物の破砕片と前記粘土鉱物との合計約１．０ｍ３につき、前記植物の破砕片は約０．５ｍ３であり、前記粘土鉱物は約０．５ｍ３であり、前記団粒剤は約３ｋｇであり、前記接合剤は約４ｋｇであり、前記水は約０．２ｍ３である。この場合、前記植物の破砕片と、前記粘土鉱物と、前記接合剤と、前記水とを混合し、撹拌することにより、流動体４０を生成する。
【００３４】
図３に示した例では、前記植物の破砕片と前記粘土鉱物との合計約１．０ｍ３につき、前記粘土鉱物が約０．５ｍ３であるが、これに代え、前記粘土鉱物の量は約０．３ｍ３ないし約０．７ｍ３の範囲において任意の量とすることができる。この場合、前記植物の破砕片の量は、約１．０ｍ３から前記粘土鉱物の量を差し引いた量、すなわち約０．７ｍ３ないし約０．３ｍ３であり、前記団粒剤は約１ｋｇないし約６ｋｇであり、前記水は約０．１ｍ３ないし約０．６ｍ３である。
【図面の簡単な説明】
【００３５】
【図１】本発明に係る植物生育基盤を形成する装置の概要図。
【図２】本発明の実施例に係る植物生育基盤材料の配合例。
【図３】他の植物生育基盤材料の配合例。
【符号の説明】
【００３６】
１０ 法面
１２    植物生育基盤
１８ 管
２０、２２、３２ 管の一端部、中間部及び他端部
４０    流動体
４２ 植物生育基盤材料
【図１】
0005216416.tif 000002
【図２】
0005216416.tif 000003
【図３】
0005216416.tif 000004